(57)【要約】【課題】設定した起床時刻の所定時間前から、光の照度を低照度、中照度、高照度の順に連続的に変化させる覚醒動作の途中で、操作部が操作されて、制御部に何らかの信号が入力されることがある。このような場合に、照度の連続的な変化が中断されて、例えば光の照度が最高照度にいきなり変化してしまい、快適な覚醒を阻害する虞があった。【解決手段】低照度から高照度まで照度を変化させる光源１５と、前記光源１５を制御する制御部１１とを備え、起床時刻ｔ３の所定時間前ｔ１になると、前記光源１５の照度を低照度域から高照度域に変化させる覚醒動作を行う照明装置１であって、前記覚醒動作中に、光源１５の最大消費電力を切り替える信号が入力されると、起床時刻ｔ３まで覚醒動作を継続させて、覚醒動作終了後に、光源１５の照度を、切り替えられた最大消費電力に対応する照度に変更させる。【選択図】図４
2011156923.tif 000002
【特許請求の範囲】
【請求項１】
低照度から高照度まで照度を変化させる光源と、
前記光源を制御する制御部とを備え、
起床時刻の所定時間前になると、前記光源の照度を低照度域から高照度域に変化させる覚醒動作を行う照明装置であって、
前記覚醒動作中に、光源の最大消費電力を切り替える信号が入力されると、起床時刻まで覚醒動作を継続させて、覚醒動作終了後に、光源の照度を、切り替えられた最大消費電力に対応する照度に変更させることを特徴とする照明装置。
【請求項２】
光源の照度を設定した時間後まで漸次低下させて消灯させる就寝動作を行う照明装置であって、
前記就寝動作中に、最大消費電力を切り替える信号が入力されると、就寝動作を終了して、光源の照度を、切り替えられた最大消費電力に対応する照度に変更させることを特徴とする請求項１記載の照明装置。
【発明の詳細な説明】
【技術分野】
【０００１】
本発明は、就寝者を覚醒させるための機能を備えた照明装置に関する。
【背景技術】
【０００２】
従来、就寝者を覚醒させるための機能を備えた照明装置が公知となっている。例えば、特許文献１においては、設定した起床時刻の所定時間前から、光の照度を低照度、中照度、高照度の順に連続的に変化させることで、就寝者を覚醒に導く覚醒動作を行う照明装置が開示されている。
【０００３】
また、光源の照度を設定した時間後まで漸次低下させて消灯させる就寝動作を行う照明装置も知られている。
【先行技術文献】
【特許文献】
【０００４】
【特許文献１】特許３７６７３１９号公報
【発明の概要】
【発明が解決しようとする課題】
【０００５】
しかし、覚醒動作の途中で、操作部が操作されて、制御部に何らかの信号が入力されることがある。このような場合に、照度の連続的な変化が中断されて、光の照度が大きく変化してしまい、就寝者の快適な覚醒を阻害する恐れがあった。
【０００６】
例えば、照明装置に消費電力切替スイッチを設けた場合において、消費電力切替スイッチの操作により、切り替え後の消費電力全てを出力させた状態の照度で光源が点灯されるように設定されている場合がある。このような場合に、覚醒動作中に消費電力切替スイッチが誤って操作されると、照度が大きく変化し、就寝者の快適な覚醒を阻害してしまう恐れがあった。
【０００７】
一方、就寝動作中は、消費電力切替スイッチが誤って操作されることは少なく、就寝動作中の消費電力切替スイッチの操作は意図的な操作であると考えられる。
【課題を解決するための手段】
【０００８】
本発明の解決しようとする課題は以上の如くであり、次にこの課題を解決するための手段を説明する。
【０００９】
即ち、第１の発明は、低照度から高照度まで照度を変化させる光源と、前記光源を制御する制御部とを備え、起床時刻の所定時間前になると、前記光源の照度を低照度域から高照度域に変化させる覚醒動作を行う照明装置であって、前記覚醒動作中に、光源の最大消費電力を切り替える信号が入力されると、起床時刻まで覚醒動作を継続させて、覚醒動作終了後に、光源の照度を、切り替えられた最大消費電力に対応する照度に変更させるものである。
【００１０】
第２の発明は、第１の発明において、光源の照度を設定した時間後まで漸次低下させて消灯させる就寝動作を行う照明装置であって、前記就寝動作中に、最大消費電力を切り替える信号が入力されると、就寝動作を終了して、光源の照度を、切り替えられた最大消費電力に対応する照度に変更させるものである。
【発明の効果】
【００１１】
本発明の効果として、以下に示すような効果を奏する。
【００１２】
第１の発明においては、覚醒動作中に、最大消費電力を切り替える信号が入力されても、光源は、すぐに最大消費電力に対応した照度に切り替えられない。よって、照度が大きく変化して、快適な覚醒を阻害する動作をすることがない。よって、就寝者が寝ぼけて誤操作を起こしやすい覚醒動作中に、誤って最大消費電力を切り替える信号が入力されてしまった場合にも、快適な覚醒が阻害されることがない。
【００１３】
第２の発明においては、就寝動作中に、最大消費電力を切り替える信号が入力されると、光源は、すぐに切り替えられた最大消費電力に応じた照度に切り替えられる。すなわち、誤操作が起こりにくい就寝動作中には、即座に最大消費電力を切り替える信号に従う動作を行わせることが出来る。
【図面の簡単な説明】
【００１４】
【図１】本発明の実施形態を示すブロック図。
【図２】覚醒動作を示す動作説明図。
【図３】照明装置本体に消費電力切替スイッチを設置した状態を示す図。
【図４】覚醒動作時に最大消費電力を８６Ｗから７６ｗに切り替えた場合の動作を示す動作説明図。
【図５】覚醒動作時に最大消費電力を７６Ｗから８６ｗに切り替えた場合の動作を示す動作説明図。
【図６】就寝動作を示す動作説明図。
【図７】就寝動作時に最大消費電力を８６Ｗから７６ｗに切り替えた場合の動作を示す動作説明図。
【図８】就寝動作時に最大消費電力を７６Ｗから８６ｗに切り替えた場合の動作を示す動作説明図。
【発明を実施するための形態】
【００１５】
次に、発明の実施の形態を説明する。
図１に示すように、本発明に係る照明装置１は、照明装置本体１０とリモコン２０とから構成されている。照明装置本体１０は、光源１５と、光源１５に供給する電力量を可変とするための光源点灯装置１３と、光源１５への供給電力量を調整するための負荷信号を光源点灯装置１３に出力して、光源１５の点灯、消灯及び調光を行う制御部１１と、制御部１１に調光信号等の信号を出力するリモコン受信部１２とを具備する。
リモコン２０は、リモコン受信部１２にリモコン信号を送信するものであり、操作部には、光源１５を点灯・消灯する、又は光源部の各光源の照度を変更（調光）するスイッチや、起床時刻を設定するスイッチ等を備えている。
【００１６】
本実施形態においては、光源１５として蛍光灯を用いる。しかし、光源１５は、これに限らずどのような光源を用いてもよく、例えば、ＬＥＤを用いてもよい。
【００１７】
光源点灯装置１３は、例えば光源１５が蛍光灯であればインバータ回路で構成され、図示しない交流電源と接続されて、その発信周波数を調整することで光源１５への供給電力量を可変として光源１５の調光を行うものである。
また、光源点灯装置１３は、例えば光源１５がＬＥＤであれば、交流電源の電圧を位相制御することで、光源１５への供給電力量を可変として光源１５の調光を行う。
【００１８】
制御部１１は、照明装置１が通常の部屋照明として用いられる場合には、リモコン２０から送信される消灯、点灯、調光等の信号に応じて、光源１５を制御する信号を、光源点灯装置１３に出力する。
【００１９】
また、照明装置１に覚醒動作を行わせる場合には、制御部１１は、制御部１１内のタイマ１１４によって計時される時間に基づいて操作者が予め入力して設定した起床時刻よりも所定時間前からＲＯＭ１１２に予め記憶されたパターンに基づいて光源１５の照度を徐々に増加するように制御する。
光源１５の照度が徐々に増加するパターン（覚醒動作）については後に詳述する。
【００２０】
リモコン受信部１２によって受信されるリモコン２０からの種々の信号は、制御部１１のＣＰＵ１１１に入力され、ＣＰＵ１１１は、入力された信号に応じて光源点灯装置１３を制御する。リモコン２０から光源１５の点灯、消灯、調光等の信号が送信された場合には、ＣＰＵ１１１は光源点灯装置１３へ点灯、消灯、調光等の信号を出力する。
【００２１】
また、照明装置１に覚醒動作を行わせる場合において、操作者がリモコン２０を操作することによって入力する起床時刻等の情報は、リモコン２０からの信号としてリモコン受信部１２によって受信され、制御部１１内のＲＡＭ１１３に記憶される。例えば、操作者の操作によってリモコン２０から起床時刻情報（例えば、午前７時）が送信された場合には、起床時刻情報をＲＡＭ１１３に記憶すると共に、ＣＰＵ１１１は起床時刻情報に応じて、光源１５の点灯、消灯及び調光を行う。
【００２２】
次に、覚醒動作（光源１５の照度が徐々に増加するパターン）を、図２の動作説明図を参照して説明する。
覚醒動作は、起床時刻ｔ３の所定時間前ｔ１から、光源１５を点灯させ、照度を低照度、中照度、高照度の順に、連続的に増大させて、就寝者を覚醒に導く動作である。覚醒動作時における、光源１５の点灯開始時刻ｔ１の照度を最低照度Ｌ１とし、主光源１５の照度を最も増大させた際の照度を、最高照度Ｌ２とする。
【００２３】
就寝前などに、リモコン２０で起床時刻ｔ３をセットして、照明装置本体１０側に覚醒動作を予約する信号を送信する。リモコン受信部１２が信号を受信し、制御部１１は、起床時刻ｔ３より所定時間前（本実施形態では３０分前とする）を覚醒動作開始時刻ｔ１として記憶する。制御部１１が、タイマ１１４により覚醒動作開始時刻ｔ１になると覚醒動作を開始させる。なお、覚醒動作開始時刻ｔ１と起床時刻ｔ３との間隔は、所望の時間に設定出来るものである。
【００２４】
尚、覚醒動作開始時刻ｔ１になると、制御部１１は、光源１５が点灯しているか否かを判別し、光源１５が点灯していれば、光源１５を消灯させる。
【００２５】
そして、覚醒動作が開始されると、図２に示すように、光源１５が点灯し、光源１５の照度は、時間の経過とともに、徐々に増大していく。
【００２６】
そして、光源１５は最低照度Ｌ１から徐々に照度を上げていき、起床時刻ｔ３の所定時間前（本実施形態では１分前とする）の時刻ｔ２になり、光源１５が最高照度Ｌ２に達すると、光源１５の照度は最高照度Ｌ２に維持され、覚醒動作は終了する。すなわち光源１５は、覚醒動作開始時刻ｔ１から、起床時刻ｔ３の１分前であって、覚醒動作が終了する時刻ｔ２まで、２９分間かけて、徐々に照度を上げていくため、就寝者は深い睡眠状態から、浅い睡眠状態へと導かれる。
【００２７】
このような覚醒動作中に、光源１５を自由に点灯、消灯、調光出来るような構成が具備されていると、就寝者が寝ぼけて誤操作をして、照度が急激に増大してしまい、快適な睡眠が阻害されることがある。
【００２８】
図３に示すように、制御部１１には、消費電力を切り替える操作部として、消費電力切替スイッチ１１５が設けられており、覚醒動作中に、該消費電力切替スイッチ１１５を操作することで、照度が急激に増大する虞がある。
なお、本実施形態においては、消費電力切替スイッチ１１５を照明装置本体１０側に設けているが、消費電力切替スイッチ１１５は、リモコン２０側に設けることも可能である。
【００２９】
消費電力切替スイッチ１１５について説明する。
消費電力切替スイッチ１１５とは、照明装置１の最大消費電力を調整するためのスイッチであって、定格出力モードと、省電力モードとを切り替えるものである。例えば、定格出力モードの最大消費電力を８６Ｗとし、省電力モードの最大消費電力を７６Ｗとする。消費電力切替スイッチ１１５は、照明装置１の最大消費電力を８６Ｗから７６Ｗに、又は７６Ｗから８６Ｗに切り替えるものである。
【００３０】
なお、最大消費電力を８６Ｗとした場合、リモコン２０の操作によって、８６Ｗの電力を全て出力させた状態の照度を最高照度のＳＴＥＰ１９として、最低照度のＳＴＥＰ０まで、２０段階で照度を調整することが出来る。
そして、最大消費電力を７６Ｗとした場合にも、リモコン２０の操作によって、７６Ｗの電力を全て出力させた状態の照度を最高照度のＳＴＥＰ１９として、最低照度のＳＴＥＰ０まで、２０段階で照度を調整することが出来る。
【００３１】
すなわち、定格出力モードと、省電力モードのそれぞれのモードにおいて、２０段階に照度を設定することが出来る。
【００３２】
なお、光源１５は、リモコン２０で操作することで、照度を２０段階に調整可能としているが、制御部１１による調光制御は、さらに多段階に行われるものである。
【００３３】
このような消費電力切替スイッチ１１５を設けることで、広さの異なる空間に、同じ照明装置１を用いることが可能となる。すなわち、ある広さの空間で、最大消費電力を８６Ｗとして使用して最適な照明装置１を、広さの異なる空間に、最大消費電力を切り替えて使用することが出来る。このように、一つの照明装置１で、異なる広さの空間に対応させて使用することが出来る。
【００３４】
消費電力切替スイッチ１１５によって、最大消費電力が切り替えられた際には、最大消費電力の切替が行われたことが使用者に分かりやすいように、その最大消費電力全てを出力させた状態の照度（ＳＴＥＰ１９）によって、光源１５が点灯される。
【００３５】
しかし、覚醒動作中に、消費電力切替スイッチ１１５を操作した場合に、いきなり、切り替えられた最大消費電力全てを出力させた状態の照度で、光源１５が点灯されれば、就寝者の快適な覚醒が阻害される虞がある。
【００３６】
したがって、このような消費電力切替スイッチ１１５を、覚醒動作中に操作した場合にも、照度が急激に増大することで、快適な覚醒を阻害することがないよう、照明装置１は、以下の動作を行う。
【００３７】
図４においては、覚醒動作中の時刻ｔ６に、消費電力切替スイッチ１１５によって、最大消費電力を８６Ｗから７６Ｗに切り替える操作が行われた際の動作を示す。覚醒動作中の時刻ｔ６に、消費電力切替スイッチ１１５が切り替えられた場合は、覚醒動作はそのまま継続される。そして、覚醒動作終了後、すなわち、起床時刻ｔ３になると、最大消費電力が切り替えられた際の動作を行う。すなわち、制御部１１は、覚醒動作終了と同時に、最大消費電力を８６Ｗとした場合の最高照度Ｌ８６（ＳＴＥＰ１９）から、最大消費電力を７６Ｗとした場合の最高照度Ｌ７６（ＳＴＥＰ１９）へと照度を変化させる。図５においては、覚醒動作中の時刻ｔ６に、消費電力切替スイッチ１１５によって、最大消費電力を７６Ｗから８６Ｗに切り替える操作が行われた際の動作を示す。
【００３８】
よって、覚醒動作中に消費電力切替スイッチ１１５を操作した場合には、例えば、最大消費電力が７６Ｗから８６Ｗに上がるような操作をした場合にも、覚醒動作中にいきなり高照度となるような、快適な覚醒を阻害するような動作をすることがない。
【００３９】
次に、図６を参照して、就寝動作（光源１５の照度が徐々に低減するパターン）を説明する。
就寝前など、時刻ｔ４に、リモコン２０を操作して、就寝動作を開始させる。そうすると、操作から所定時間後（本実施形態では５秒後とする）の時刻ｔ５から、点灯された光源の照度が連続的に低減する。このようにして、就寝者は深い睡眠状態へと導かれる。
【００４０】
図７においては、就寝動作中に最大消費電力が８６Ｗから７６Ｗに切り替えられた際の動作を示す。最高照度Ｌ８６で点灯されていた光源の照度が、徐々に低減する就寝動作中の時刻ｔ７に、消費電力切替スイッチ１１５が操作された場合は、図７に示すように、就寝動作が終了され、即座に最大消費電力が切り替えられた際の動作が行われる。すなわち、時刻ｔ７に照度Ｌ７で点灯されていても、即座に最大消費電力を７６Ｗとした場合の最高照度Ｌ７６（ＳＴＥＰ１９）に変更されて、光源１５が点灯される。図８は、最大消費電力を７６Ｗとした場合に、最高照度Ｌ７６で点灯されていた光源の照度が、徐々に低減する就寝動作中の時刻ｔ７に、最大消費電力が８６Ｗに切り替えられた際の動作を示す。
【００４１】
すなわち、就寝動作時における操作は、操作者が意識的に行うものであるため、消費電力切替スイッチ１１５の操作が行われることで、照明装置１は、即座に消費電力を切り替えた動作を行うことが出来る。しかし、覚醒動作時には、就寝者が寝ぼけて誤操作をしやすく、特に、消費電力を切り替える操作部として、リモコン２０側に消費電力切替スイッチ１１５を設けた場合には、誤操作が生じやすい。そこで、覚醒動作時には、消費電力切替スイッチ１１５の操作が行われても、照明装置１は、即座に消費電力が切り替わった動作を行わないように構成されている。すなわち、覚醒動作時には、就寝者の誤操作によって覚醒動作が中断されると、就寝者に不快感を与えるため、快適な覚醒を阻害するような動作をすることを防止している。
【符号の説明】
【００４２】
１      照明装置
１０    照明装置本体
１１    制御部
１１５  消費電力切替スイッチ
１５    光源
【図１】
2011156923.tif 000003
【図２】
2011156923.tif 000004
【図３】
2011156923.tif 000005
【図４】
2011156923.tif 000006
【図５】
2011156923.tif 000007
【図６】
2011156923.tif 000008
【図７】
2011156923.tif 000009
【図８】
2011156923.tif 000010